(57)【要約】【課題】  除湿ロータを効率よく再生することができる温水式の暖房乾燥装置及び暖房乾燥システムを提供すること。【解決手段】  暖房乾燥装置１は送風部２１と給湯部２２の２つの領域で構成されており、送風部２１と給湯部２２を跨ぐようにして除湿ロータ３１が設置されている。除湿ロータ３１は、送風部２１で吸着した湿気を給湯部２２のバーナー２７からの高温の燃焼排ガスの熱を利用して蒸発させて再生される。また、送風部２１の吐出口２４は第１の風路切替器１３を介して押入Ａ及び脱衣所Ｂに第１の送風通路１１及び第２の送風通路１２で接続されており、第１の風路切替器１３を切り替えることにより、押入Ａ及び脱衣所Ｂの任意の部屋に除湿ロータ３１で除湿された乾燥空気を送風することができる。【選択図】      図１
2007024447.tif 000002
【特許請求の範囲】
【請求項１】
空気を空気入口から吸気し、空気出口から室内に空気を吹き出す送風路と、
強制的に空気を前記空気入口から送風路内に吸気し、前記空気出口から室内に吹き出させるためのファンと、
前記送風路を通過する空気を除湿するための除湿器と、
熱交換器を加熱するための加熱手段を備えた給湯部と、を備え、
前記除湿器の除湿部材が前記送風路と前記給湯部との間を移動できるように前記除湿器を送風路と給湯部に跨って配置し、
前記加熱手段の熱を利用して前記除湿器を加熱し、前記除湿器に吸着した湿気を蒸発させることを特徴とする、暖房乾燥装置。
【請求項２】
前記送風路の前記除湿器よりも空気の流れの下流側に温度センサを設けたことを特徴とする、請求項１に記載の暖房乾燥装置。
【請求項３】
請求項１〜２に記載の暖房乾燥装置の前記送風路に設けた前記除湿器よりも空気の流れの下流側に第１の風路切替器を設け、前記第１の風路切替器と複数の部屋の前記空気出口とを前記送風路で接続し、前記第１の風路切替器を切り替えることにより、前記除湿器で除湿された空気を任意の部屋に送風することを特徴とする、暖房乾燥システム。
【請求項４】
前記送風路の前記除湿器よりも空気の流れの上流側に第２の風路切替器を設け、前記複数の部屋にそれぞれ前記送風路の前記空気入口を設け、それぞれの前記空気入口と前記第２の風路切替器を前記送風路で接続し、前記第２の風路切替器を切り替えることにより空気を前記複数の部屋と前記送風路の間で循環させることを特徴とする、請求項３に記載の暖房乾燥システム。
【請求項５】
前記複数の部屋に各々湿度センサを設けると共に前記複数の部屋の各々に除湿する優先順位を設定し、優先順位の高い部屋の湿度が所定値以上になると、優先順位の高い部屋を優先的に除湿することを特徴とする、請求項３〜４に記載の暖房乾燥システム。
【発明の詳細な説明】
【技術分野】
【０００１】
本発明は、暖房乾燥装置に関し、特に除湿ロータを用いた温水式の暖房乾燥装置及び暖房乾燥装置を利用した暖房乾燥システムに関する。
【背景技術】
【０００２】
温水式暖房装置に除湿ロータを用いて加湿機能或いは除湿機能を付加した装置が開発されてきている。例えば、本願の出願人は特許文献１（特願２００５−０２０６４７）で除湿ロータを用いた加湿機能付きの温水暖房装置を提案している。特許文献１に記載の発明において、除湿ロータの再生は除湿ロータの手前に温水を用いた熱交換器を設置し、熱交換器で暖められた空気が除湿ロータを通過することにより、除湿ロータに吸着した湿気を蒸発させている。
【０００３】
一方、特許文献２（特開２００１−１９３９６６号公報）に記載の発明には、除湿ロータを用いた調湿装置が提案されている。特許文献２に記載の発明では、室外の空気を取り込んで除湿し、乾燥した空気を室内に供給する。また、室内の空気を取り込んで、温水により加熱し、加熱した室内の空気で除湿ロータに吸着した湿気を蒸発させ、湿気を室外へ放出して除湿ロータの再生をおこなっている。
【０００４】
このような温水式の暖房装置に除湿ロータを組み込んだ装置にあって、除湿ロータの再生は、温水から放熱される熱で除湿ロータを加熱して除湿ロータに吸着させた湿気を蒸発させている。しかしながら、温水の熱を用いて除湿ロータを再生する方法では、再生時の温度が低く除湿ロータを完全に再生しきれないことや完全に再生するためには非常に時間がかかるという問題があった。また、除湿ロータの再生用に電気ヒータなどの熱源を新たに追加することも考えられる。しかしながら、その分、製品コストが高くつき、また消費電力が大きくなってしまうという問題がある。
【０００５】
【特許文献１】特願２００５−０２０６４７
【特許文献２】特開２００１−１９３９６６号公報
【発明の開示】
【発明が解決しようとする課題】
【０００６】
本発明は上記のような技術的課題に鑑みてなされたものであり、その目的とするところは、除湿ロータを効率よく再生することができる温水式の暖房乾燥装置及び暖房乾燥システムを提供することにある。
【課題を解決するための手段】
【０００７】
本発明の暖房乾燥装置は、空気を空気入口から吸気し、空気出口から室内に空気を吹き出す送風路と、強制的に空気を前記空気入口から送風路内に吸気し、前記空気出口から室内に吹き出させるためのファンと、前記送風路を通過する空気を除湿するための除湿器と、熱交換器を加熱するための加熱手段を備えた給湯部と、を備え、前記除湿器の除湿部材が前記送風路と前記給湯部との間を移動できるように前記除湿器を送風路と給湯部に跨って配置し、前記加熱手段の熱を利用して前記除湿器を加熱し、前記除湿器に吸着した湿気を蒸発させることを特徴としている。
【０００８】
本発明の暖房乾燥装置によれば、給湯器から出る高温のバーナーの燃焼排ガスを除湿器の除湿部材に通過させることにより、除湿部材に吸着した湿気を蒸発させて除湿部材の再生をおこなっている。したがって、除湿部材の再生用のヒーターを設ける必要がない。また、温水ヒーターの温度よりも高温であるので、除湿部材の再生を効率よくおこなえる。
【０００９】
本発明の暖房乾燥装置の別な実施態様は、前記送風路の前記除湿器よりも空気の流れの下流側に温度センサを設けたことを特徴としている。
【００１０】
本発明の暖房乾燥装置の別な実施態様によれば、送風路の除湿器よりも空気の流れの下流側に温度センサを設けているので、除湿器の設置部で給湯部から送風路への燃焼排ガスの流入を監視できる。たとえば、燃焼排ガスが室内に流入することによる一酸化炭素中毒などの危険を防止できる。
【００１１】
本発明の暖房乾燥システムは、請求項１〜２に記載の暖房乾燥装置の前記送風路の前記除湿器よりも空気の流れの下流側に第１の風路切替器を設け、前記第１の風路切替器と複数の部屋の前記空気出口とを前記送風路で接続し、前記第１の風路切替器を切り替えることにより、前記除湿器で除湿された空気を任意の部屋に送風することを特徴としている。
【００１２】
本発明の暖房乾燥システムによれば、除湿器で除湿された乾燥空気を第１の風路切替器によって任意の部屋に送風することができる。これにより、任意の部屋を乾燥させることが可能となる。たとえば、居室などの暖房される部屋に隣接した押入などに乾燥空気を送風するようにすれば、居室などから流入した水分による結露を防止でき、カビなどの発生及び住宅の耐久性低下を防止できる。
【００１３】
本発明の暖房乾燥システムの別な実施態様は、前記送風路の前記除湿器よりも空気の流れの上流側に第２の風路切替器を設け、前記複数の部屋にそれぞれ前記送風路の前記空気入口を設け、それぞれの前記空気入口と前記第２の風路切替器を前記送風路で接続し、前記第２の風路切替器を切り替えることにより空気を前記複数の部屋と前記送風路の間で循環させることを特徴としている。
【００１４】
本発明の暖房乾燥システムの別な実施態様によれば、第１及び第２の風路切替器を切り替えることにより、任意の部屋と暖房乾燥装置との間で空気を循環させながら除湿することができるので、外気を取り込む必要がなく、室内の温度低下もほとんどない。
【００１５】
本発明の暖房乾燥システムのさらに別な実施態様は、前記複数の部屋に各々湿度センサを設けると共に前記複数の部屋の各々に除湿する優先順位を設定し、優先順位の高い部屋の湿度が所定値以上になると、優先順位の高い部屋を優先的に除湿することを特徴としている。
【００１６】
本発明の暖房乾燥システムのさらに別な実施態様によれば、各部屋に乾燥する優先順位を割り振ることにより、湿度の高い部屋や結露しやすい部屋から順番に乾燥させることができる。また、他の部屋を除湿中であっても優先順位の高い部屋の湿度が所定値以上になれば、優先順位の高い部屋の除湿に切り替えて除湿するので、湿度の高い部屋や結露しやすい部屋の湿度を常に所定値以下に保つことができる。
【発明を実施するための最良の形態】
【００１７】
以下、本発明の実施例を図面に従って詳細に説明する。ただし、本発明は以下の実施例に限定されるものでないことは勿論である。
【実施例１】
【００１８】
図１は、実施例１の暖房乾燥システム１の概略断面図である。暖房乾燥システム１は、暖房乾燥装置３と、暖房乾燥装置３で乾燥した空気を押入Ａに送風するための第１の送風通路１１と、風呂場の脱衣所Ｂに送風するための第２の送風通路１２と、暖房乾燥装置３から送り出された空気を第１の送風通路１１と第２の送風通路１２のどちらに送り出すかを切り替えるための第１の風路切替器１３と、暖房乾燥装置３で温めた湯水を居室Ｃの床下に取り付けられた床下暖房装置１４に供給するための第１の湯水配管１６と、暖房乾燥装置３で温めた湯水を浴室Ｄに取り付けられた浴室乾燥機１５に供給するための第２の湯水配管１７と、暖房乾燥システム１を制御するためのコントローラ１８により構成されている。
【００１９】
暖房乾燥装置３は、送風部２１と給湯部２２の二つの機能部で構成されている。送風部２１は、吸気口２３から暖房乾燥装置３内に外気を吸気し、除湿ロータ３１を通過して吐出口２４から第１の送風通路１１に空気を送り出している。送風部２１には除湿ロータ３１の一部と吸気ファン２５、エアフィルタ４０、４１が設置されている。吸気ファン２５は、図示しないが吸気ファンモータを動作させてファンを回転させることにより、強制的に吸気口２３から外気を暖房乾燥装置３内に吸気し、除湿ロータ３１を通過して吐出口２４から第１の送風通路１１に空気を送り出すことができる。なお、除湿ロータ３１を通過した空気は、除湿ロータ３１で湿気を吸着され、乾燥した空気が第１の送風通路１１へ送り出される。また、吸気口２３及び吐出口２４には、それぞれエアフィルタ４０、４１が設けられており、吸気口２３及び吐出口２４を通過する空気のゴミを付着して取り除くようになっている。さらに、除湿ロータ３１よりも下流側の吐出口２４付近には、送風部２１内の空気の温度を検知するための温度センサ３０が取り付けてある。なお、温度センサ３０の温度が設定温度Ｔ以上になると、給湯部２２側からの燃焼排ガスが流入していると判断して運転を緊急停止させる。
【００２０】
給湯部２２には、熱交換器２６、バーナー２７、燃焼ファン２８、排気口２９及び除湿ロータ３１の一部が設置されている。バーナー２７を燃焼させることにより熱交換器２６で湯水を加熱し、第１及び第２の湯水配管１６、１７に供給される。図３に示すように、第１及び第２の湯水配管１６、１７への湯水の供給は、開閉弁５６、三方弁５７、５８を制御することにより任意の場所へ供給できるようになっている。燃焼ファン２８は、図示しないが燃焼ファンモータを動作させてファンを回転させることにより、バーナー２７が完全燃焼するために新鮮な空気を供給し、また燃焼排ガスを排気口２９から室外に排気させる。また、除湿ロータ３１は、熱交換器２６よりも排気口２９側に設置されている。そして、除湿ロータ３１にバーナー２７で加熱された高温の空気（燃焼排ガス）が通過することにより、除湿ロータ３１に吸着した湿気が蒸発させられ、再生される。また、除湿ロータ３１から蒸発した湿気は、バーナー２７の燃焼排ガスと共に室外へ放出される。
【００２１】
図２に図１のＸ−Ｘ’断面図を示す。図２に示すように、除湿ロータ３１の除湿部材３２は、平坦な基板の表面上に波形に連続して屈曲した部材を接着して構成された矩形長尺部材を円筒状に巻き込んだものであり、かつその平坦な基板及び波形部材の表面には湿気を吸着する機能を持つ固体吸着剤が付着されている。特に吸着剤に用いる材料に制限はないが、湿気を吸着する性質を持つ素材であればよく、例えば、シリカゲル、ゼオライト、活性炭などのように通常水分吸着用途に用いられるものを任意に使用できる。さらに、除湿ロータ３１の円筒形の円周部には、その円周に沿ってギア３３が形成されている。
【００２２】
除湿ロータ３１の除湿部材３２は、波形に連続して屈曲した部材を巻き込んだ形状であることから、その円形の端面には波形に連続して屈曲した部材と平坦な部材との隙間によって形成された無数の空気通過孔３４が端面全体に形成されている。なお、図２では、省略して一部の空気通過孔３４のみを図示している。また、各空気通過孔３４の和は、十分な断面積を有し、且つその長さ方向（円筒形の厚さ方向）にはそこを通過する空気との大きな接触面積を有する。従って、湿気を含んだ空気は除湿ロータ３１の空気通過孔３４中をほとんど圧損なしに通過することができ、同時に、除湿ロータ３１の表面部分に付着された吸着剤により湿気が吸着除去される。また、空気通過孔３４の形状は、上記形状に限らず空気が通過するときの接触面積が大きく、圧損が発生しにくい構造であればよく、例えば、六角形のハニカム構造に形成したもの等でもよい。
【００２３】
ギヤードモーター３６には、駆動ギア３７が取り付けられており、除湿部材３２の外周面に形成されたギア３３と噛み合うような位置に調整されている。したがって、ギヤードモーター３６の回転駆動により、除湿ロータ３１も円形面の中心軸３５を中心に円形面内で連続的或いは断続的に回転するようになっている。
【００２４】
第１の送風通路１１は、暖房乾燥装置３の吐出口２４と押入Ａの天井とを配管で接続している。また、第１の送風通路１１には第１の風路切替器１３が設けられている。第１の風路切替器１３は送風部２１から送風されてきた空気を第２の送風通路１２側と第１の送風通路１１の押入Ａ側のどちら側に送風するかを切り替えることができる。第２の送風通路１２は、第１の風路切替器１３により第１の送風通路１１から分岐され、第１の風路切替器１３と脱衣所Ｂの天井とを配管で接続している。したがって、暖房乾燥装置３の送風部２１に設けた除湿ロータ３１で湿気を吸着された乾燥空気は、吐出口２４から第１又は第２の送風通路１１、１２に送られ、第１の風路切替器１３を切り替えることにより、押入Ａ或いは脱衣所Ｂのうち任意の部屋に送風される。また、押入Ａ及び脱衣所Ｂには、湿度センサ３８、３９を設けて、室内の湿度を検知できるようにしている。
【００２５】
図３は、熱交換器２６で暖められた湯水の流れる配管の接続の状態を示した概略図である。第１の湯水配管１６は、熱交換器２６と床下暖房装置１４の間を湯水が循環するように配管されている。また、熱交換器２６のＯＵＴ側と床下暖房装置１４のＩＮ側を接続する第１の湯水配管１６には、浴室乾燥機１５のＩＮ側に湯水を供給するための第２の湯水配管１７が接続され、熱交換器２６のＩＮ側と床下暖房装置１４のＯＵＴ側を接続する第１の湯水配管１６には、浴室乾燥機１５のＯＵＴ側から流出する湯水を熱交換器２６へ戻すための第２の湯水配管１７が接続されている。また、第１の湯水配管１６と第２の湯水配管１７の両接続部には、電動三方弁５７、５８が設けられており、電動三方弁５７、５８の開閉を制御することにより床下暖房装置１４と浴室乾燥機１５のどちらか一方、或いは両方に湯水を供給できるようになっている。したがって、湯水はバーナー２７からの熱を熱交換器２６で吸熱し、床下暖房装置１４及び浴室乾燥機１５で放熱することにより、居室Ｃ及び浴室Ｄを暖房し、相対的に湿度を低下させる。
【００２６】
また、第１の湯水配管１６の途中には、ポンプ５５及び開閉弁５６が設けられ、ポンプ５５及び開閉弁５６を制御することにより、熱交換器２６と床下暖房装置１４、浴室乾燥機１５へ湯水の供給を効率よくおこなっている。
【００２７】
暖房乾燥システム１は、内蔵のコントローラ１８（制御手段）によって運転制御される。リモコン４２は、遠隔から暖房乾燥システム１を操作するものであり、電源スイッチ４３、運転スイッチ４４及び風路切替スイッチ４５を備えている。リモコン４２とコントローラ１８は、信号線４６を通じて接続されている。
【００２８】
図４は暖房乾燥システム１における、コントローラ１８を中心とする電気的な構成を示す機能ブロック図である。コントローラ１８は、ＲＯＭ、ＥＥＰＲＯＭ等のメモリに格納されている運転処理のプログラムに従って暖房乾燥システム１をマイコン制御するものである。すなわち、図４に示すように、コントローラ１８は、リモコン４２、湿度センサ３８、３９及び温度センサ３０からの信号を受け取り、それに応じて所定の手順で吸気ファン２５、バーナー２７、燃焼ファン２８、ギヤードモーター３６、第１の風路切替器１３、ポンプ５５、開閉弁５６、三方弁５７、５８を制御することにより、押入Ａ、脱衣所Ｂ、居室Ｃ及び浴室Ｄの暖房・乾燥を行う。
【００２９】
図５は暖房乾燥システム１による押入Ａ及び脱衣場Ｂの暖房乾燥運転の動作を表わしたフロー図である。以下、図５に従って暖房乾燥システム１による押入Ａ及び脱衣場Ｂの暖房乾燥運転開始から終了までを説明する。暖房乾燥システム１の運転停止中においては、吸気ファン２５、燃焼ファン２８、バーナー２７及びギヤードモーター３６は停止しており、第１の風路切替器１３は、押入Ａ側に切り替えられているものとする。また、押入Ａ及び脱衣所Ｂの湿度設定は、それぞれ湿度Ｃ１、Ｃ２に設定されているものとする。また、本実施例においては、脱衣所Ｂよりも押入Ａを優先的に除湿する設定にしているものとする。
【００３０】
リモコン４２の運転スイッチ４４が押されてオンになると、暖房乾燥システム１は、図５のフロー図に従って暖房乾燥運転を開始する。暖房乾燥システム１の運転が開始すると、まず、バーナー２７が点火される（ステップＳ１１）と共に燃焼ファン２８を回転させ（ステップＳ１２）、熱交換器２６の加熱を開始する。また、ギヤードモーター３６を動作させて除湿ロータ３１を回転させる（ステップＳ１３）と共に吸気ファン２５を回転させて、送風部２１内に室外の空気を吸気する（ステップＳ１４）。ここで、コントローラ１８は、押入Ａ及び脱衣所Ｂの優先順位（ここでは押入Ａを優先とする）を確認し（ステップＳ１５）、第１の風路切替器１３を切り替えて送風部２１から送り出される空気を押入Ａ側に送風し（ステップＳ１６）、押入Ａの乾燥を開始する。このとき送風部２１から送り出される空気は除湿ロータ３１により除湿されており、その一方で、除湿ロータ３１はバーナー２７の燃焼排ガスの熱により再生されている。押入Ａの乾燥動作中は、温度センサ３０により吐出口２４から送風される空気の温度を検知している。温度センサ３０で検出する温度が設定温度Ｔ以上であれば（ステップ１７でＹｅｓの場合）、暖房乾燥システム１は給湯部２２の燃焼排ガスが流れ込んでいると判断し、安全のため運転を停止する。つまり、バーナー２７の燃焼を停止し、（ステップＳ２４）、燃焼ファン２８の回転を停止させ（ステップＳ２５）、ギヤードモーター３６の動作を停止させて除湿ロータ３１の回転を停止させ（ステップＳ２６）、吸気ファン２５の回転も停止し（ステップＳ２７）、押入Ａへの送風を停止し、運転を停止する。
【００３１】
ステップ１７でＮｏの場合は、押入Ａの乾燥を続ける。そして、押入Ａ内の湿度が設定湿度Ｃ１以下になれば（ステップＳ１８でＹｅｓの場合）、第１の風路切替器１３を切り替えて送風部２１から送り出される空気を脱衣所Ｂ側に送風するようにし（ステップＳ１９）、脱衣所Ｂの乾燥を開始する。脱衣所Ｂの乾燥動作中は、温度センサ３０により吐出口２４から送風される空気の温度を検知している。温度センサ３０で検出する温度が設定温度Ｔ以上であれば（ステップ２０でＹｅｓの場合）、暖房乾燥システム１は給湯部２２の燃焼排ガスが流れ込んでいると判断し、ステップＳ１７でＹｅｓの場合と同様にステップＳ２４〜Ｓ２７をおこない、安全のため運転を停止する。また、脱衣所Ｂの乾燥動作中に優先設定している押入Ａの湿度が設定湿度Ｃ１以上になると、ステップＳ１６に戻り、第１の風路切替器１３を切り替えて送風部２１から送り出される空気を押入Ａ側に送風するようにし、押入Ａの乾燥をおこなう。
【００３２】
押入Ａの湿度が設定湿度Ｃ１以下で、かつ、脱衣所Ｂの湿度が設定湿度Ｃ２以下になれば（ステップＳ２２でＹｅｓの場合）、運転終了の有無を確認し、運転が継続されていれば（ステップＳ２３でＮｏの場合）、ステップＳ１６〜Ｓ２３を繰り返して押入Ａ及び脱衣所Ｂの乾燥を続ける。運転終了の命令が入力されていれば（ステップＳ２３でＹｅｓの場合）、バーナー２７の燃焼を停止する（ステップＳ２４）。また、燃焼ファン２８の回転を停止させる（ステップＳ２５）と共に、ギヤードモーター３６の動作を停止させて除湿ロータ３１の回転を停止させる（ステップＳ２６）。さらに、吸気ファン２５の回転も停止し（ステップＳ２７）、押入Ａ（或いは脱衣所Ｂ）への送風を停止する。
【００３３】
以上説明したように、実施例１の暖房乾燥システム１によれば、除湿ロータ３１は、送風部２１で湿気を吸着して除湿すると共に、給湯部２２で吸着した湿気を蒸発させて再生される。したがって、除湿ロータ３１での除湿及び除湿ロータ３１の再生（湿気放出）を効率よくおこなうことができる。また、除湿ロータ３１を再生するための専用の熱源を別途設けていないので、省エネルギー化できる。また、優先設定した部屋は、湿度が設定湿度Ｃ１（或いは設定湿度Ｃ２）以上になれば自動的に除湿されるので、常に湿度を設定値以下に保つことができる。特に居室に隣接する押入などは、居室よりも温度が低く、居室からの水分の流入により結露が生じ、カビの発生及び住宅の耐久性低下の原因となりえるが、本発明の暖房乾燥システム１によって押入を除湿するようにすれば、押入の結露を防ぎ、カビの発生及び住宅の耐久性低下を防止することができる。
【００３４】
なお、本実施例１では、押入Ａを優先設定した場合について説明したが、脱衣所Ｂを優先設定したは押入Ａと脱衣所Ｂの順序が入れ替わるだけである。また、本実施例１では、押入Ａと脱衣所Ｂの２部屋の乾燥をおこなうようにしたが、暖房乾燥装置３と接続する部屋の数は、３部屋或いはそれ以上の部屋数であってもよく、その場合は各部屋に乾燥させる優先順位を割り振って乾燥するようにすればよい。
【実施例２】
【００３５】
実施例１に示した暖房乾燥システム１においては、押入Ａ及び脱衣所Ｂに送風する空気を室外から取り込んでいたので、特に冬場などは冷たい室外の空気を取り込むことになり、押入Ａ及び脱衣所Ｂの温度の低下或いは温度を下げないように取り込んだ空気を暖める必要があった。実施例２の暖房乾燥システム２は、このような問題を解決するために提案されたものである。図６に実施例２の暖房乾燥システム２の概略断面図を示す。なお、下記では実施例１の暖房乾燥システム１と同じ箇所は省略し、異なる箇所を中心に説明する。
【００３６】
暖房乾燥システム２は、暖房乾燥システム１の吸気口２３と押入Ａの天井部分を配管などで接続して第３の送風通路５２を形成し、第３の送風通路５２の途中に第２の風路切替器５１を設け、第２の風路切替器５１と脱衣所Ｂの天井部分を配管などで接続したものである。つまり、吸気ファンを動作させて吸気ファン２５を回転させることにより、押入Ａ或いは脱衣所Ｂの空気を送風部２１内に取り込むことができる。したがって、室外の冷たい空気が取り込まれることもないので、押入Ａ及び脱衣所Ｂの温度低下がほとんどない。なお、第２の風路切替器５１は、第１の風路切替器１３と連動して動くようになっている。つまり、第２の風路切替器５１は、第１の風路切替器１３において送風部２１の吐出口２４側と押入Ａが接続されていれば、送風部２１の吸気口２３側と押入Ａを接続し、第１の風路切替器１３において送風部２１の吐出口２４と脱衣所Ｂが接続されていれば、送風部２１の吸気口２３側と脱衣所Ｂを接続するようになっている。また、押入Ａ及び脱衣所Ｂの湿度設定は、それぞれ湿度Ｃ１、Ｃ２に設定されているものとする。また、本実施例においては、脱衣所Ｂよりも押入Ａを優先的に除湿する設定にしているものとする。
【００３７】
図７は暖房乾燥システム２による押入Ａ及び脱衣場Ｂの暖房乾燥運転の動作を表わしたフロー図である。以下、図７に従って暖房乾燥システム２による押入Ａ及び脱衣場Ｂの暖房乾燥運転開始から終了までを説明する。暖房乾燥システム１の運転停止中においては、吸気ファン２５、燃焼ファン２８、バーナー２７及びギヤードモーター３６は停止しており、第１及び第２の風路切替器１３、５１は、押入Ａ側に切り替えられているものとする。また、押入Ａ及び脱衣所Ｂの湿度設定は、それぞれ湿度Ｃ１、Ｃ２に設定されているものとする。
【００３８】
リモコン４２の運転スイッチ４４が押されてオンになると、暖房乾燥システム１は、図７のフロー図に従って暖房乾燥運転を開始する。暖房乾燥システム１の運転が開始すると、まず、バーナー２７が点火される（ステップＳ３１）と共に燃焼ファン２８を回転させ（ステップＳ３２）、熱交換器２６の加熱を開始する。また、ギヤードモーター３６を動作させて除湿ロータ３１を回転させる（ステップＳ３３）と共に吸気ファン２５を回転させる（ステップＳ３４）。ここで、コントローラ１８は、押入Ａ及び脱衣所Ｂの優先順位（ここでは、押入Ａを優先とする）を確認し（ステップＳ３５）、第１及び第２の風路切替器１３、５１を切り替えて送風部２１と押入Ａの間で空気を循環し（ステップＳ３６、Ｓ３７）、押入Ａの乾燥を開始する。このとき送風部２１から送り出される空気は除湿ロータ３１により除湿されており、その一方で、除湿ロータ３１はバーナー２７の燃焼排ガスの熱により再生されている。押入Ａの乾燥動作中は、温度センサ３０により吐出口２４から送風される空気の温度を検知している。温度センサ３０で検出する温度が設定温度Ｔ以上であれば（ステップ３８でＹｅｓの場合）、暖房乾燥システム２は給湯部２２の燃焼排ガスが流れ込んでいると判断し、安全のため運転を停止する。つまり、バーナー２７を停止し、（ステップＳ４６）、燃焼ファン２８の回転を停止させ（ステップＳ４７）、ギヤードモーター３６の動作を停止させて除湿ロータ３１の回転を停止させ（ステップＳ４８）、吸気ファン２５の回転も停止し（ステップＳ４９）、押入Ａへの送風を停止する。
【００３９】
ステップ３８でＮｏの場合は、押入Ａの乾燥を続ける。そして、押入Ａ内の湿度が設定湿度Ｃ１以下になれば（ステップＳ３９でＹｅｓの場合）、第１及び第２の風路切替器１３、５１を切り替えて送風部２１と脱衣所Ｂの間で空気が循環するようにし（ステップＳ４０、４１）、脱衣所Ｂの乾燥を開始する。脱衣所Ｂの乾燥動作中は、温度センサ３０により吐出口２４から送風される空気の温度を検知している。温度センサ３０で検出する温度が設定温度Ｔ以上であれば（ステップ４２でＹｅｓの場合）、暖房乾燥システム２は、給湯部２２の燃焼排ガスが流れ込んでいると判断し、ステップＳ３８でＹｅｓの場合と同様にステップＳ４６〜Ｓ４９をおこない、安全のため運転を停止する。また、脱衣所Ｂの乾燥動作中に優先設定している押入Ａの湿度が設定湿度Ｃ１以上になると、ステップＳ３６に戻り、第１及び第２の風路切替器１３、５１を切り替えて送風部２１から送り出される空気を押入Ａ側に送風するようにし、押入Ａの乾燥をおこなう。
【００４０】
脱衣所Ｂの湿度が設定湿度Ｃ２以下になれば（ステップＳ４４でＹｅｓの場合）、運転終了の有無を確認し、運転が継続されていれば（ステップＳ４５でＮｏの場合）、ステップＳ３６〜Ｓ４５を繰り返して押入Ａ及び脱衣所Ｂの乾燥を続ける。運転終了の命令が入力されていれば（ステップＳ４５でＹｅｓの場合）、バーナー２７を停止する（ステップＳ４６）。また、燃焼ファン２８の回転を停止させる（ステップＳ４７）と共に、ギヤードモーター３６の動作を停止させて除湿ロータ３１の回転を停止させる（ステップＳ４８）。さらに、吸気ファン２５の回転も停止し（ステップＳ４９）、押入Ａ（或いは脱衣所Ｂ）への送風を停止する。なお、本実施例１では、押入Ａを優先設定した場合について説明したが、脱衣所Ｂを優先設定したは押入Ａと脱衣所Ｂの順序が入れ替わるだけである。
【００４１】
しかして、暖房乾燥システム２においては、室外の空気を取り込んでいないので、冬場などに室内の温度を下げることなく、任意の部屋を乾燥することができる。
【図面の簡単な説明】
【００４２】
【図１】図１は、本発明の実施例１の暖房除湿システムの概略断面図である。
【図２】図２は、図１のＸ−Ｘ’断面図である。
【図３】図３は、図１の暖房乾燥システムの湯水が流れる配管の接続を説明する図である。
【図４】図４は、図１の暖房乾燥システムのコントローラの働きを説明するための機能ブロック図である。
【図５】図５は、本発明の実施例１の暖房乾燥システムの暖房乾燥運転のプロセスを説明するフロー図である。
【図６】図６は、本発明の実施例２の暖房除湿システムの概略断面図である。
【図７】図７は、本発明の実施例２の暖房乾燥システムの暖房乾燥運転のプロセスを説明するフロー図である。
【符号の説明】
【００４３】
１、２      暖房乾燥システム
３      暖房乾燥装置
１１      第１の送風通路
１２      第２の送風通路
１３      第１の風路切替器
１４      床下暖房装置
１５      浴室乾燥機
１６      第１の湯水配管
１７      第２の湯水配管
２１      送風部
２２      給湯部
２３      吸気口
２４      吐出口
２５      吸気ファン
２６      熱交換器
２７      バーナー
２８      燃焼ファン
２９      排気口
３０      温度センサ
３１      除湿ロータ
３６      ギヤードモーター
３８、３９      湿度センサ
４０、４１      エアフィルタ
４２      リモコン
４３      電源スイッチ
４４      運転スイッチ
４５      風路切替スイッチ
４６      信号線
５１      第２の風路切替器
５２      第３の送風通路
５３      第４の送風通路
【図１】
2007024447.tif 000003
【図２】
2007024447.tif 000004
【図３】
2007024447.tif 000005
【図４】
2007024447.tif 000006
【図５】
2007024447.tif 000007
【図６】
2007024447.tif 000008
【図７】
2007024447.tif 000009